【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
印刷ジョブの再印刷のリスタート・ポイントを判定するコンピュータにおいて実行する方法であって、
前記印刷ジョブ内の論理ページを識別するために前記印刷ジョブを処理する段階であって、前記印刷ジョブ内の論理ページと用紙との間のＮ−ｕｐ印刷関係が変わる、段階であり、前記印刷ジョブ内の前記論理ページの間の改ページを識別するために前記印刷ジョブを処理する段階と、前記識別された改ページに基づいて前記論理ページを識別する段階と、を含む、段階と、
ページ−用紙データ構造を生成するために、前記論理ページが後に印刷される用紙に前記論理ページをマッピングする段階であって、前記ページ−用紙データ構造は、用紙に対して変わる論理ページの数をマッピングする、段階と、
オペレータからの入力に基づいて前記印刷ジョブの再印刷をそこから開始すべき論理ページを識別する段階と、
前記識別された用紙からの前記印刷ジョブの再印刷を可能にするために、前記ページ−用紙データ構造に基づいて前記論理ページに対応する用紙を識別する段階と
を含む方法。
【請求項２】
印刷ジョブの再印刷のリスタート・ポイントを判定するコンピュータにおいて実行する方法であって、
前記印刷ジョブ内の論理ページを識別するために前記印刷ジョブを処理する段階であって、前記印刷ジョブ内の論理ページと用紙との間のＮ−ｕｐ印刷関係が変わる、段階と、
ページ−用紙データ構造を生成するために、前記論理ページが後に印刷される用紙に前記論理ページをマッピングする段階であって、前記ページ−用紙データ構造は、用紙に対して変わる論理ページの数をマッピングする、段階と、
オペレータからの入力に基づいて前記印刷ジョブの再印刷をそこから開始すべき論理ページを識別する段階であって、前記入力として前記オペレータから再印刷すべきページの範囲を受け取る段階と、
前記識別された用紙からの前記印刷ジョブの再印刷を可能にするために、前記ページ−用紙データ構造に基づいて前記論理ページに対応する用紙を識別する段階と
を含む方法。
【請求項３】
印刷ジョブの再印刷のリスタート・ポイントを判定するコンピュータにおいて実行する方法であって、
前記印刷ジョブ内の論理ページを識別するために前記印刷ジョブを処理する段階であって、前記印刷ジョブ内の論理ページと用紙との間のＮ−ｕｐ印刷関係が変わる、段階と、
ページ−用紙データ構造を生成するために、前記論理ページが後に印刷される用紙に前記論理ページをマッピングする段階であって、前記ページ−用紙データ構造は、用紙に対して変わる論理ページの数をマッピングする、段階と、
オペレータからの入力に基づいて前記印刷ジョブの再印刷をそこから開始すべき論理ページを識別する段階であって、前記オペレータが検索判断基準を入力することを可能にするユーザ・インターフェースを提供する段階と、前記検索判断基準に一致する少なくとも１つの論理ページを識別するために、前記検索判断基準に基づいて前記印刷ジョブから検索する段階と、前記オペレータによる選択を可能にするために、前記検索で識別された前記少なくとも１つの論理ページを表示する段階と、前記オペレータによる前記選択に基づいて、前記印刷ジョブの再印刷をそこから開始すべき前記論理ページを識別する段階と、を含む、段階と、
前記識別された用紙からの前記印刷ジョブの再印刷を可能にするために、前記ページ−用紙データ構造に基づいて前記論理ページに対応する用紙を識別する段階と
を含む方法。
【請求項４】
印刷ジョブの再印刷のリスタート・ポイントを判定するコンピュータにおいて実行する方法であって、
前記印刷ジョブ内の論理ページを識別するために前記印刷ジョブを処理する段階であって、前記印刷ジョブ内の論理ページと用紙との間のＮ−ｕｐ印刷関係が変わる、段階と、
ページ−用紙データ構造を生成するために、前記論理ページが後に印刷される用紙に前記論理ページをマッピングする段階であって、前記ページ−用紙データ構造は、用紙に対して変わる論理ページの数をマッピングする、段階であり、前記印刷ジョブのフォーム定義を識別する段階と、前記フォーム定義に基づいて前記用紙に前記論理ページをマッピングする段階と、を含む、段階と、
オペレータからの入力に基づいて前記印刷ジョブの再印刷をそこから開始すべき論理ページを識別する段階と、
前記識別された用紙からの前記印刷ジョブの再印刷を可能にするために、前記ページ−用紙データ構造に基づいて前記論理ページに対応する用紙を識別する段階と
を含む方法。
【請求項５】
印刷ジョブの再印刷のリスタート・ポイントを判定するコンピュータにおいて実行する方法であって、
前記印刷ジョブ内の論理ページを識別するために前記印刷ジョブを処理する段階であって、前記印刷ジョブ内の論理ページと用紙との間のＮ−ｕｐ印刷関係が変わる、段階と、
ページ−用紙データ構造を生成するために、前記論理ページが後に印刷される用紙に前記論理ページをマッピングする段階であって、前記ページ−用紙データ構造は、用紙に対して変わる論理ページの数をマッピングする、段階と、
オペレータからの入力に基づいて前記印刷ジョブの再印刷をそこから開始すべき論理ページを識別する段階と、
前記識別された用紙からの前記印刷ジョブの再印刷を可能にするために、前記ページ−用紙データ構造に基づいて前記論理ページに対応する用紙を識別する段階と
を含む方法であり、
前記印刷ジョブの前記論理ページ内で提供される印刷済みページ識別子を識別するために前記印刷ジョブを処理する段階と、
印刷済みページ−論理ページ・データ構造を生成するために、前記印刷済みページ識別子を前記論理ページにマッピングする段階と
をさらに含み、前記印刷ジョブの再印刷をそこから開始すべき論理ページを識別する段階が、
前記入力として前記オペレータから印刷済みページ識別子を受け取る段階と、
前記印刷済みページ−論理ページ・データ構造に基づいて、前記オペレータによって入力された前記印刷済みページ識別子に対応する論理ページを識別する段階と
を含む方法。
【請求項６】
印刷ジョブの再印刷のリスタート・ポイントを判定するコンピュータにおいて実行するように適合されたシステムであって、
前記印刷ジョブ内の論理ページを識別するために前記印刷ジョブを処理し、ページ−用紙データ構造を生成するために前記論理ページが後に印刷される用紙に前記論理ページをマッピングするように適合されたマッピング・システムであって、前記印刷ジョブ内の論理ページを識別するための前記印刷ジョブの処理は、前記印刷ジョブ内の前記論理ページの間の改ページを識別するための前記印刷ジョブの処理と、前記識別された改ページに基づく前記論理ページの識別と、を含む、マッピング・システムであり、前記印刷ジョブ内の論理ページと用紙との間のＮ−ｕｐ印刷関係が変わり、前記ページ−用紙データ構造は、用紙に対して変わる論理ページの数をマッピングする、マッピング・システムと、
オペレータからの入力に基づいて前記印刷ジョブの再印刷をそこから開始すべき論理ページを識別し、前記識別された用紙からの前記印刷ジョブの再印刷を可能にするために前記ページ−用紙データ構造に基づいて前記論理ページに対応する用紙を識別するように適合された再印刷システムと
を含むシステム。
【請求項７】
コンピュータ可読プログラムであって、前記コンピュータ可読プログラムが、コンピュータ上で実行されるときに、前記コンピュータに、
印刷ジョブ内の論理ページを識別するために前記印刷ジョブを処理させ、
ページ−用紙データ構造を生成するために、前記論理ページが後に印刷される用紙に前記論理ページをマッピングさせ、
オペレータからの入力に基づいて前記印刷ジョブの再印刷をそこから開始すべき論理ページを識別させ、
前記識別された用紙からの前記印刷ジョブの再印刷を可能にするために、前記ページ−用紙データ構造に基づいて前記論理ページに対応する用紙を識別させる
コンピュータ可読プログラムであって、
前記印刷ジョブ内の論理ページを識別するための前記印刷ジョブの処理は、前記印刷ジョブ内の前記論理ページの間の改ページを識別するための前記印刷ジョブの処理と、前記識別された改ページに基づく前記論理ページの識別と、を含み、
前記印刷ジョブ内の論理ページと用紙との間のＮ−ｕｐ印刷関係が変わり、前記ページ−用紙データ構造は、用紙に対して変わる論理ページの数をマッピングする、
コンピュータ可読プログラム。
【請求項８】
印刷ジョブの再印刷のリスタート・ポイントを判定するコンピュータにおいて実行する方法であって、
前記印刷ジョブの印刷に関するフォーム定義を識別する段階であって、前記印刷ジョブ内の論理ページと用紙との間のＮ−ｕｐ印刷関係が変わる、段階と、
前記印刷ジョブ内の改ページを識別するために前記印刷ジョブを処理する段階と、
論理ページ内の改ページの識別に応答して、ページ−用紙データ構造を生成するために、前記フォーム定義に基づいて、前記論理ページが後に印刷される用紙に前記論理ページをマッピングするために機能呼出しを実行する段階であって、前記ページ−用紙データ構造は、用紙に対して変わる論理ページの数をマッピングする、段階と
を含み、印刷ジョブを再印刷する要求に応答して、さらに
オペレータからの入力に基づいて前記印刷ジョブの再印刷をそこから開始すべき論理ページを識別する段階と、
前記識別された用紙からの前記印刷ジョブの再印刷を可能にするために、前記ページ−用紙データ構造に基づいて前記論理ページに対応する用紙を識別する段階と
を含む方法。
【請求項９】
オペレータからの入力に基づいて前記印刷ジョブの再印刷をそこから開始すべき論理ページを識別する段階が、
前記オペレータが検索判断基準を入力することを可能にするユーザ・インターフェースを提供する段階と、
前記検索判断基準に一致する少なくとも１つの論理ページを識別するために、前記検索判断基準に基づいて前記印刷ジョブから検索する段階と、
前記オペレータによる選択を可能にするために、前記検索で識別された前記少なくとも１つの論理ページを表示する段階と、
前記オペレータによる前記選択に基づいて、前記印刷ジョブの再印刷をそこから開始すべき前記論理ページを識別する段階と
を含む、請求項８に記載の方法。